(57)【要約】      （修正有）【課題】効率よく対象物を運搬することができるバケットエレベータ装置を提供する。【解決手段】バケットエレベータ装置のバケット２００は、バケット本体部２２１と、内法板３００とを含む。バケット本体部２２１は、開口を介して対象物を収容しうる収容空間２３０を形成する。収容空間２３０を形成する内側面は、断面が略Ｕ字形状に形成される。内法板３００は、矩形状の板のような形状を有し、弾性体で形成される。内法板３００の一方の端部３０６は、外側部２２２の開口端部分２１２に、内法板３００の他方の端部３０６は、内側部２２３の開口端部分２１２に取り付けられている。内法板部３０２の中央には、スリット３０４が形成されている。内法板部３０２は、内法板部３０２の自重により、内法板部３０２が底部２２４から離れ、断面形状が、開口部２１１から下側に向けて飛び出すような逆Ｕ字形状に弾性変形する。【選択図】図３
0003197840.tif 000002
【実用新案登録請求の範囲】
【請求項１】
下部に設けられた投入口と上部に設けられた排出シュートとを配設したケーシングと、
前記ケーシング内に配置され、前記投入口から投入された対象物を前記排出シュートから排出するバケットエレベータと、を備えたバケットエレベータ装置であって、
前記バケットエレベータは、
無端長尺周回用構造と、
前記無端長尺周回用構造の進行方向を下から上への上昇方向から上から下への下降方向に転換させる転向ホイールと、
前記無端長尺周回用構造を前記進行方向に周回させる駆動機構と、
所定の間隔を置いて前記無端長尺周回用構造に取り付けられた複数のバケットであって、前記投入口から投入された対象物を積載して前記上昇方向に運搬すると共に、下降方向に転向する際に積載された対象物を前記排出シュートに排出する複数のバケットと、を備え、
各バケットは、
開口を形成する開口部であって前記開口部のうち前記開口を間において対向する一対の開口端部分を有する開口部と前記開口を介して対象物を収容しうる収容空間を形成する底部及び側部とを有するバケット本体部と、
一方及び他方の端部がそれぞれ前記一対の開口端部分に取り付けられた板状弾性体の内法板と、を含み、
前記バケット本体部は、前記進行方向が前記上昇方向の場合、前記開口が上に向いている運搬状態になり、前記進行方向が前記下降方向の場合、前記開口が下に向いている排出状態になり、
前記内法板は、
前記バケット本体部が前記運搬状態の場合、対象物が前記内法板に載置するように、前記転向ホイールの半径方向に広がる平面において、前記底部の内面に沿うような略Ｕ字形状に弾性変形しつつ前記収容空間内に滑動自在に配置され、
前記バケット本体部が前記排出状態の場合、前記内法板の自重により前記底部から離れ、前記内法板に載置された対象物が前記収容空間から排出するよう、前記内法板が前記開口部から飛び出るような略逆Ｕ字形状に変形する、バケットエレベータ装置。
【請求項２】
前記内法板は、前記排出状態において、前記内法板と前記底部との間に入り込んだ対象物が排出するように、前記内法板の中央に、前記平面に平行なスリットが形成されている、請求項１に記載のバケットエレベータ装置。
【請求項３】
各バケットは、さらに、前記排出状態において、前記進行方向における一つ後ろのバケットから排出された対象物を前記排出シュートに案内する前記バケット本体部に形成された付着防止用スライダーを含む、請求項１又は２に記載のバケットエレベータ装置。
【請求項４】
前記排出シュートは、
前記排出状態において、前記下降方向に移動するバケットから対象物が排出方向側に位置する傾斜した排出スライダーと、
前記排出スライダーの傾斜と同じ傾斜で前記排出スライダーから前記下降方向に移動するバケットの両脇に延在するサイド排出スライダーとを有する、請求項１から３のいずれかに記載のバケットエレベータ装置。
【考案の詳細な説明】
【技術分野】
【０００１】
本考案は、バケットエレベータ装置に関する。
【背景技術】
【０００２】
水分を含み、バケット等に付着し易い石灰、粘土、石膏等の粉粒体を含む対象物を運搬するバケットエレベータ装置は、下部に設けられた投入口と上部に設けられた排出シュートとを配設したケーシングと、ケーシング内に配置され、投入口から投入された対象物を排出シュートから排出するバケットエレベータと、を備える。バケットエレベータは、無端チェーンと、無端チェーンの進行方向を下から上への上昇方向から、上から下への下降方向に転換させる転向ホイールと、無端チェーンの進行方向を下降方向から上昇方向に転換させる転向ホイールと、無端チェーンを進行方向に周回させる駆動機構と、所定の間隔を置いて無端チェーンに取り付けられた複数のバケットとを備える。
バケットは、投入口から投入された対象物を積載して上昇方向に運搬すると共に、下降方向に転向する際に積載された対象物を排出シュートに排出する。
【０００３】
しかし、対象物が付着性の高い粉粒体の場合、バケットが下降方向に転向しても、対象物がバケット内に付着したままとなって、バケットから排出しきれないことがある。
そこで、バケット内の対象物を確実に掻き出すことができるよう、対象物を収容したバケットの進行方向の移動に伴いケーシングの上部に至り、無端チェーンの進行方向が転向ホイールで転向することによりバケットが反転し、バケットに収容した対象物を排出する際、バケットの底板内面に滑動自在に配設した鎖が、その鎖の自重によりバケットの開口部に向けて移動してバケット底板から離反するようにした技術が知られている（例えば、特許文献１参照）。この技術によれば、対象物を排出した後のバケットは、バケットエレベータの走行に伴い下降方向に移動してケーシングの下部に至り、下部においてバケットが上昇方向の元の姿勢に復帰する際に、バケット底板から離反していた鎖がバケット底部を打撃かつ滑動し、その際に生じる振動等によりバケットの隅部等に付着していた対象物が掻き落される。
【０００４】
しかし、特許文献１に記載の技術は、バケットが上昇方向の元の姿勢に復帰する際に、バケットに付着していた対象物を掻き落とすので、掻き落とされた対象物は、排出シュートからは直接排出されないので、対象物の運搬効率が悪いという課題がある。
【先行技術文献】
【特許文献】
【０００５】
【特許文献１】特開２００４−２５６２６１号公報
【考案の概要】
【考案が解決しようとする課題】
【０００６】
本考案の課題は、効率よく対象物を運搬することができるバケットエレベータ装置を提供することにある。
【課題を解決するための手段】
【０００７】
本考案に係るバケットエレベータ装置を以下に示す。
（１）  下部に設けられた投入口と上部に設けられた排出シュートとを配設したケーシングと、
前記ケーシング内に配置され、前記投入口から投入された対象物を前記排出シュートから排出するバケットエレベータと、を備えたバケットエレベータ装置であって、
前記バケットエレベータは、
無端長尺周回用構造と、
前記無端長尺周回用構造の進行方向を下から上への上昇方向から上から下への下降方向に転換させる転向ホイールと、
前記無端長尺周回用構造を前記進行方向に周回させる駆動機構と、
所定の間隔を置いて前記無端長尺周回用構造に取り付けられた複数のバケットであって、前記投入口から投入された対象物を積載して前記上昇方向に運搬すると共に、下降方向に転向する際に積載された対象物を前記排出シュートに排出する複数のバケットと、を備え、
各バケットは、
開口を形成する開口部であって前記開口部のうち前記開口を間において対向する一対の開口端部分を有する開口部と前記開口を介して対象物を収容しうる収容空間を形成する底部及び側部とを有するバケット本体部と、
一方及び他方の端部がそれぞれ前記一対の開口端部分に取り付けられた板状弾性体の内法板と、を含み、
前記バケット本体部は、前記進行方向が前記上昇方向の場合、前記開口が上に向いている運搬状態になり、前記進行方向が前記下降方向の場合、前記開口が下に向いている排出状態になり、
前記内法板は、
前記バケット本体部が前記運搬状態の場合、対象物が前記内法板に積載するように、前記転向ホイールの半径方向に広がる平面において、前記底部の内面に沿うような略Ｕ字形状に弾性変形しつつ前記収容空間内に滑動自在に配置され、
前記バケット本体部が前記排出状態の場合、前記内法板の自重により前記底部から離れ、前記内法板に積載された対象物が前記収容空間から排出するよう、前記内法板が前記開口部から飛び出るような略逆Ｕ字形状に変形する、バケットエレベータ装置。
【０００８】
（２）  前記内法板は、前記排出状態において、前記内法板と前記底部との間に入り込んだ対象物が排出するように、前記内法板の中央に、前記平面に平行なスリットが形成されている、（１）に記載のバケットエレベータ装置。
【０００９】
（３）  各バケットは、さらに、前記排出状態において、前記進行方向における一つ後ろのバケットから排出された対象物を前記排出シュートに案内する前記バケット本体部に形成された付着防止用スライダーを含む、（１）又は（２）に記載のバケットエレベータ装置。
【００１０】
（４）  前記排出シュートは、
前記排出状態において、前記下降方向に移動するバケットから対象物が排出方向側に位置する傾斜した排出スライダーと、
前記排出スライダーの傾斜と同じ傾斜で前記排出スライダーから前記下降方向に移動するバケットの両脇に延在するサイド排出スライダーとを有する、（１）から（３）のいずれかに記載のバケットエレベータ装置。
【００１１】
ここで、無端長尺周回用構造とは、無端チェーンや無端ベルトのような無端の長尺であり転向ホイールに架けられ、また、複数のバケットが所定の間隔をおいて取り付けられる構造であり、取り付けられた複数のバケットに、上昇方向と下降方向とを繰り返す周回運動をさせる構造である。
【考案の効果】
【００１２】
本考案によれば、内法板は、バケット本体部が運搬状態の場合、対象物が内法板に積載するように、転向ホイールの半径方向に広がる平面において、底部の内面に沿うような略Ｕ字形状に弾性変形しつつ収容空間内に滑動自在に配置されている。このため、バケット本体部が運搬状態において、対象物とバケット本体部との間には内法板があるので、対象物がバケット本体部に付着することを防止することができる。
また、バケット本体部が排出状態の場合、内法板の自重により底部から離れ、内法板に積載された対象物が収容空間から排出するよう、内法板が開口部から飛び出るような略逆Ｕ字形状に変形する。このため、バケット本体部が運搬状態から排出状態になった際に、内法板に積載された対象物の殆どを、バケット本体部の収容空間から外に排出することができる。
【図面の簡単な説明】
【００１３】
【図１】本考案に係るバケットエレベータ装置の一例を示す概略図である。
【図２】図１に示したバケットエレベータ装置のバケットの運搬状態の概略断面図である。
【図３】図１に示したバケットエレベータ装置のバケットの排出状態の概略断面図である。
【図４】図１に示したバケットエレベータ装置の排出シュートの概略斜視図である。
【考案を実施するための形態】
【００１４】
図１から図４を参照して、本考案に係るバケットエレベータ装置１の説明をする。バケットエレベータ装置１は、水分を含み、付着し易い石灰、粘土、石膏等の粉粒体を含む対象物を運搬する。
図１に示すように、バケットエレベータ装置１は、ケーシング１０と、バケットエレベータ１００とを備える。
【００１５】
（ケーシング）
ケーシング１０は、ケーシング１０の下部に設けられた投入口２０とケーシング１０の上部に設けられた排出シュート５０とを配設している。投入口２０から投入された対象物５は直接バケット２００に入る。このとき、バケット２００に入らなかった対象物５はケーシング１０の下部に溜まることになるが、ケーシング１０の下部に溜まった対象物５が多くなると、バケット２００がその溜まった対象物５を掬い、対象物５はバケット２００に入る。
【００１６】
（バケットエレベータ）
図１に示すように、バケットエレベータ１００は、投入口２０から投入された対象物５を排出シュート５０から排出することができるよう、ケーシング１０内に配置されている。
バケットエレベータ１００は、無端チェーン１１０と、ケーシング１０の下部の近傍に配置された転向ホイール１２０と、ケーシング１０の上部の近傍に配置された転向ホイール１３０と、図示しない駆動機構と、複数のバケット２００とを備える。
【００１７】
無端チェーン１１０は、主に、上昇方向と下降方向とに伸びるように、転向ホイール１２０、１３０に掛けられている。
駆動機構は、転向ホイール１３０に図１の紙面において時計方向の回転力を付与することにより、無端チェーン１１０を進行方向（矢印方向）に周回させる。これにより、駆動機構は、転向ホイール１３０、無端チェーン１１０、転向ホイール１２０を、図１の紙面を見た状態において、時計方向に回転させる。転向ホイール１３０は、無端チェーン１１０の進行方向を下から上への上昇方向から上から下への下降方向に転換させる機能を有する。転向ホイール１２０は、無端チェーン１１０の進行方向を上から下への下降方向から下から上への上昇方向に転換させる機能を有する。
【００１８】
複数のバケット２００は、所定の間隔を置いて、かつ、同一方向に向くように、無端チェーン１１０に取り付けられている。バケット２００、すなわち、後述するバケット本体部２２１は、進行方向が上昇方向の場合、バケット２００の開口が上に向いている運搬状態になり、進行方向が下降方向の場合、開口が下に向いている排出状態になる。
【００１９】
（バケット）
図２及び図３に示すように、各バケット２００は、バケット本体部２２１と、内法板３００と、スライド側壁２１７と、付着防止用スライダー２１６とを含む。
（バケット本体）
図２に示すように、バケット本体２１０は、開口部２１１と、バケット本体部２２１とを有する。
開口部２１１は、開口を形成し、開口を間において対向する一対の開口端部分２１２を有する。
バケット本体部２２１は、開口を介して対象物を収容しうる収容空間２３０を形成する。バケット本体部２２１は、底部２２４と、一対の左右側部２２６と、外側部２２２と、内側部２２３とを有する。収容空間２３０は、底部２２４と、一対の左右側部２２６と、外側部２２２と、内側部２２３とで形成される。バケット本体部２２１の収容空間２３０を形成する内側面は、転向ホイール１２０の半径方向に広がる平面（図２の紙面の広がる平面）において、断面が略Ｕ字形状に形成される。
一対の開口端部分２１２は開口部２１１の一部であり、外側部２２２の端部、内側部２２３の端部でもある。
（スライド側壁）
図４に示すように、一対のスライド側壁２１７は、排出状態において、進行方向における一つ後ろのバケット２００から排出された対象物が排出シュート５０に案内されるように、左右側部２２６から延在した板である。
【００２０】
（内法板）
図２に示すように、内法板３００は、矩形状の板のような形状を有し、弾性体で形成され、例えば、ライナテックス・ラバー・プロダクト社製のライナテックス（高純度天然ゴム）が好ましい。
内法板３００は、内法板部３０２とその両端部３０６で構成されている。内法板部３０２の中央には、両端部３０６を結ぶ方向（図２の紙面の広がる方向）に伸びるスリット３０４が形成されている。
内法板３００の一方の端部３０６は、一方の端部３０６を押さえ板２４２と押さえ板２４４とで挟んだ状態で、ボルトとナットとのような留め具２４８によって、外側部２２２の開口端部分２１２に取り付けられている。
内法板３００の他方の端部３０６は、図示しない押さえ板と内側部２２３の開口端部分２１２とで挟んだ状態で、ボルトとナットとのような留め具２４９によって、内側部２２３の開口端部分２１２に取り付けられている。
内法板部３０２は、バケット本体部２２１が運搬状態の場合、内法板部３０２の自重により、バケット本体部２２１の収容空間２３０を形成する内側面に沿うように、転向ホイール１２０の半径方向に広がる平面（図２の紙面の広がる平面）において、断面が略Ｕ字形状に弾性変形する。このとき、内法板部３０２は、収容空間２３０と略同一形状の積載空間３３０を形成する。
また、図３に示すように、内法板部３０２は、バケット本体部２２１が排出状態の場合、内法板部３０２の自重により、底部２２４から離れ、転向ホイール１２０の半径方向に広がる平面（図２の紙面の広がる平面）における断面形状が、開口部２１１から下側に向けて飛び出すような略逆Ｕ字形状に弾性変形する。このとき、図３及び図４に示すように、内法板部３０２は、開口部２１１の外側に排出空間３３２を形成する。
【００２１】
（スリット）
図４に示すように、バケット本体部２２１が排出状態の場合、内法板３００と底部２２４との間に入り込んだ対象物が排出するように、内法板３００の中央に、転向ホイール１２０の半径方向に広がる平面に平行なスリット３０４が形成されている。
【００２２】
（付着防止用スライダー）
図２及び図３に示すように、付着防止用スライダー２１６は、排出状態において、進行方向における一つ後ろのバケット２００から排出された対象物を排出シュート５０に案内する一対のスライド側壁２１７の間に形成されている。付着防止用スライダー２１６は、所定の厚さの矩形状の板で有り、付着防止用スライダー２１６の端部２４７が留め具２４８によって、外側部２２２の外側面において開口端部分２１２に取り付けられている。付着防止用スライダー２１６は、一つ後ろのバケット２００の排出方向と略平行になっている。
【００２３】
図４に示すように、排出シュート５０は、排出スライダー５４と、一対のサイド排出スライダー５３とを備える。
排出シュート５０は、対象物を積載して上昇方向に運搬するバケット２００が下降方向に転向する際に、バケット２００の開口から排出される対象物を受けることができるよう、排出先に配置されたスライダーである。排出スライダー５４は、主に、バケット２００から排出される対象物の排出側に位置し、一対のサイド排出スライダー５３は、バケット２００の左右から溢れた対象物を受けるスライダーである。
排出シュート５０は、排出スライダー５４と、一対のサイド排出スライダー５３とで、バケット２００が進行方向に移動できるよう、切り欠き部５２を形成している。
【００２４】
図１から図４を参照して、以下にバケットエレベータ装置１の動作を説明する。
図１に示すように、駆動機構を作動させ、無端チェーン１１０を進行方向に周回させる。無端チェーン１１０が進行方向に周回すると、各バケット２００が、投入口２０から投入された対象物５をケーシング１０の下部において積載し、積載された対象物を上昇方向に運搬する。このとき、図２に示すように、バケット本体部２２１は、開口が上に向いている運搬状態になる。
【００２５】
バケット本体部２２１が運搬状態の場合、転向ホイール１３０の半径方向に広がる平面において、底部２２４の内面に沿うような略Ｕ字形状に弾性変形しつつ収容空間２３０内に滑動自在に配置されているので、対象物が内法板３００で形成した積載空間３３０に積載される。
【００２６】
このとき、内法板３００は、バケット本体部２２１が運搬状態であるので、対象物が内法板３００に積載するように、転向ホイール１３０の半径方向に広がる平面において、底部２２４の内面に沿うような略Ｕ字形状に弾性変形しつつ収容空間２３０内に滑動自在に配置されている。このため、バケット本体部２２１が運搬状態において、対象物とバケット本体部２２１との間には内法板３００があるので、対象物がバケット本体部２２１、特に、底部２２４に殆ど付着しない。
【００２７】
そして、上昇方向に周回しているバケット２００は、転向ホイール１３０に至る。
図３及び図４に示すように、進行方向が転向し、下降方向になる。これにより、バケット本体部２２１が、開口が下に向いている排出状態になり、転向する際に積載された対象物を排出シュート５０に排出する。
バケット本体部２２１が排出状態になると、内法板３００の自重により内法板３００が底部２２４から離れ、内法板３００に積載された対象物が収容空間２３０から排出するよう、内法板３００が開口部２１１から飛び出るような略逆Ｕ字形状に変形する。
【００２８】
このとき、バケット本体部２２１が排出状態になるので、内法板３００の自重により底部２２４から離れ、内法板３００に積載された対象物が収容空間２３０から排出するよう、内法板３００が開口部から飛び出るような略逆Ｕ字形状に変形する。このため、バケット本体部２２１が運搬状態から排出状態になった際に、内法板３００に積載された対象物の殆どを、バケット本体部２２１の収容空間２３０から排出シュート５０に排出することができる。
また、図４に示すように、内法板３００と底部２２４との間に対象物が入り込んでいても、内法板３００の中央にスリット３０４が形成されているので、バケット本体部２２１が排出状態になった際に、その対象物がスリット３０４から排出する。さらに、内法板部３０２は、開口部２１１の外側に排出空間３３２を形成するので、内法板３００と底部２２４との間に入り込んだ対象物は、排出空間３３２からサイド排出スライダーに排出され、排出シュート５０から排出される。
【００２９】
なお、バケットエレベータ１００は、無端チェーン１１０を有するとして説明したが、無端ベルトであってもよいし、無端チェーン１１０や無端ベルトのような無端長尺周回用構造であってもよい。無端長尺周回用構造は、無端の長尺であり転向ホイール１３０に架けられ、また、複数のバケット２００が所定の間隔をおいて無端長尺周回用構造に取り付けられる構造を有し、取り付けられた複数のバケット２００に、上昇方向と下降方向とを繰り返す周回運動をさせる構造であれば、特に限定されない。
【符号の説明】
【００３０】
１  バケットエレベータ装置
５  対象物
１０  ケーシング
２０  投入口
５０  排出シュート
５２  欠き部
５３  サイド排出スライダー
５４  排出スライダー
１００  バケットエレベータ
１１０  無端チェーン（無端長尺周回用構造）
１２０、１３０  転向ホイール
２００  バケット
２１０  バケット本体
２１１  開口部
２１２  開口端部分
２１６  付着防止用スライダー
２１７  スライド側壁
２２１  バケット本体部
２２２  外側部
２２３  内側部
２２４  底部
２２６  左右側部
２３０  収容空間
２４２、２４４  押さえ板
２４７  端部
２４８、２４９  留め具
３００  内法板
３０２  内法板の内法板部
３０４  内法板のスリット
３０６  内法板の端部
３３０  内法板が形成する積載空間
３３２  内法板が形成する排出空間
【図１】
0003197840.tif 000003
【図２】
0003197840.tif 000004
【図３】
0003197840.tif 000005
【図４】
0003197840.tif 000006